(57)【要約】本発明は、ピンセット要素（１２）を有する脱毛器（１０）に係る。本発明によれば、少なくとも前記ピンセット要素（１２）の表面は、少なくとも３０％の充填材料を有して強化される基本材料を有して少なくとも部分的に作られる。該充填材料を有して強化される基本材料は、モース硬度において少なくとも３である硬度を有する。
2008539854.tif 000002
【特許請求の範囲】
【請求項１】
ピンセット要素を有する脱毛器であって、
少なくとも前記ピンセット要素の表面は、少なくとも３０％の充填材料を有して強化される基本材料を有して少なくとも部分的に作られ、
前記充填材料を有して強化される前記基本材料は、モース硬度において、少なくとも３であり、より望ましくは５より高く、最も望ましくは７より高い硬度を有する、
脱毛器。
【請求項２】
前記基本材料は、３０％乃至９０％、望ましくは５０％乃至８０％、最も望ましくは６０％乃至７０％の前記充填材料を有して強化される、
請求項１記載の脱毛器。
【請求項３】
前記充填材料を有して強化される前記基本材料は、モース硬度において、３乃至１０、望ましくは４乃至９、最も望ましくは６乃至８である硬度を有する、
請求項１記載の脱毛器。
【請求項４】
前記充填材料を有して強化される前記基本材料は、１９０００ＭＰａより高く、望ましくは２００００ＭＰａより高く、最も望ましくは２１０００ＭＰａより高い、弾性係数を有する、
請求項１記載の脱毛器。
【請求項５】
前記充填材料は、以下の構成要素：
繊維、特にはセラミックパウダーであるセラミック、酸化アルミニウム、酸化ジルコニウム、二酸化ジルコニウム、酸化チタン、カーボン、ダイアモンド、ガラス、Ｇｒｉｖｏｒｙ  ＧＶ、特にはアラミド繊維であるアラミド、特には天然繊維である天然充填物、
のうち少なくとも１つを有する、
請求項１記載の脱毛器。
【請求項６】
前記基本材料は、６０％のガラス繊維と１０％のセラミックパウダーとを有して強化されるプラスチックである、
請求項１記載の脱毛器。
【請求項７】
前記ピンセット要素は、前記充填材料を有して強化される前記基本材料を有して完全に作られる、
請求項１記載の脱毛器。
【請求項８】
前記ピンセット要素は、前記充填材料を有して強化される前記基本材料を有して完全に作られるクランプ部分の一部である、
請求項１記載の脱毛器。
【請求項９】
前記ピンセット要素は、前記脱毛器の作動中に回転されるよう意図される隣接するディスクのクランプ部分によって形成される、
請求項１記載の脱毛器。
【請求項１０】
前記ピンセット要素は、射出成形工程によって作られ、且つ前記脱毛器の作動中に回転されるよう意図される隣接するディスクのクランプ部分によって形成される、
請求項１記載の脱毛器。
【請求項１１】
前記基本材料は、プラスチックである、
請求項１乃至１０記載の脱毛器。
【発明の詳細な説明】
【技術分野】
【０００１】
本発明は、毛髪を除去するようピンセット要素を有する脱毛器に係る。
【背景技術】
【０００２】
制限されることなく、ピンセット要素は、例えば本願中に参照として組み込まれるＷＯ  ０１／３２０４８  Ａ１（特許文献１）から既知である通り、回転するディスクによって形成され得る。例えば金属を有して作られるピンセット要素を使用することは、既知である。しかしながら、一般的な金属ピンセット要素の皮膚接触表面は平滑であり、皮膚上でのスリップスティック効果（ｓｌｉｐ  ｓｔｉｃｋ  ｅｆｆｅｃｔ）により、脱毛器は、より多くの電力を必要とし、皮膚上での感覚は不快なものである。これは特に、金属ピンセット要素の大半の厚さが小さく、皮膚上でのひっかき感覚を増大させるという事実によるものである。更には、金属ピンセット要素の製造技術（ばり（ｂｕｒｒｓ）をなくすためのスタンピング及び丸み付け）により、金属ピンセットは比較的大きなピンセット半径を有し、このことが、図５中に示される通り短い毛髪に対する捕集性能の悪さをもたらす。図５は、ピンセットを形成する２つの回転ディスク１８’を概略的に示す。図示される通り、ディスク１８’は、皮膚３２から毛髪３０を除去するよう意図される。見受けられ得る通り、ディスク１８’は、例えば０．１である範囲における比較的大きな半径Ｒ’を有する。本願に参照として組み込まれる前出の特許文献１中で提案される通り、射出成形されたピンセットが使用される場合、これらの問題は低減される。射出成形されたピンセットに対して必要な剛性を与えるよう、ガラス繊維又は同様のものを有して強化されるプラスチック材料を使用することは、例えばＵＳ  ５，０４１，１２３（特許文献２）から既知である。必要な剛性を与えるよう、ガラス繊維等である充填材料が約２０重量％（本願中に記載される全てのパーセント値は、重量％値である）を示さなければならないことは、実験から判明され得る。
【特許文献１】ＷＯ  ０１／３２０４８  Ａ１
【特許文献２】ＵＳ  ５，０４１，１２３
【発明の開示】
【発明が解決しようとする課題】
【０００３】
本発明は、冒頭に記載される種類の脱毛器を更に発展させて、毛髪除去機能を強化する一方で、皮膚上での感覚をより快適なものとする、ことを目的とする。
【課題を解決するための手段】
【０００４】
この目的は、請求項１中の特性によって達成される。本発明の更なる発展及び望ましい実施例は、独立請求項中に概説される。
【０００５】
本発明によれば、ピンセット要素を有する脱毛器が与えられる。少なくともピンセット要素の表面は、少なくとも３０％の充填材料を有して強化される基本材料を有して少なくとも部分的に作られる。充填材料を有して強化される基本材料は、モース硬度において、少なくとも３であり、より望ましくは５より高く、最も望ましくは７より高い硬度を有する。驚くべきことに、充填材料が機械的安定性を与えるよう必要とされるより大幅に高い割合を示す場合、皮膚上の感覚がより快適なものとなると同時に、毛髪除去機能が強化される、ことは示されてきている。高い割合の充填材料は、ピンセットの粗い面をもたらし、このことは、特にはより厚いピンセットに対して、毛髪のグリップ及び皮膚摩擦係数を向上させる。適用試験中、本発明による脱毛器は、例えば常に傷をつける金属ディスクを有する脱毛器と比較して、皮膚上での平滑な感覚をもたらす、ことが認識された。表面粗さが更に増大される場合、例えば毛髪が内側に食い込むこと（ｉｎｇｒｏｗｔｈ  ｏｆ  ｈａｉｒ）を防ぐよう、更なるピーリング効果が与えられ得る。先行技術の脱毛器が添加剤を有して使用される場合、平滑なピンセットのグリップは、大幅に低減される。本発明に従った脱毛器は、粗く剛性な表面を有するピンセットを有し、湿潤状態下でも毛髪をグリップすることができる一方、ピンセットの形状は保持される。充填されていないピンセット又は充填が少ないピンセットは、添加剤を有して使用される際あるいは洗浄中に膨張し（ｓｗｅｌｌ）得、これは、駆動システムに対して問題を引き起こし得る。充填材料は、単一の材料又は材料混合物であり得る。
【０００６】
基本材料は、３０％乃至９０％、望ましくは５０％乃至８０％、最も望ましくは６０％乃至７０％の充填材料を有して補強される、ことが望ましい。上述された通り、本願中に記載される全てのパーセント値は、重量％に関わる。
【０００７】
更には、充填材料を有して補強される基本材料は、モース硬度において、３乃至１０、望ましくは４乃至９、最も望ましくは６乃至８である硬度を有する。例えば、モース硬度における硬度が８である場合、即ち充填材料を有して補強される基本材料がモース硬度において７である硬度を有するスチールより硬い場合、大変優れた結果が得られた。材料の組合せの硬度が球押込み硬度（ｂａｌｌ  ｉｎｄｅｎｔａｔｉｏｎ  ｈａｒｄｎｅｓｓ）（ＩＳＯ  ２０３９−１）において表される場合、２５０ＭＰａより高い値、望ましくは３００ＭＰａより高い値が望ましい。
【０００８】
望ましい実施例を有して、充填材料を有して補強される基本材料は、１９０００ＭＰａより高い、望ましくは２００００ＭＰａより高い、最も望ましくは２１０００ＭＰａより高い弾性係数（Ｅ−ｍｏｄｕｌｕｓ）を有する。かかる弾性係数値を与えることによって、小さな毛髪がピンセットの間において食い込まれることを防ぎ、クランプ力は、毛髪に対して十分な圧力もたらすことなく一方のピンセット要素から他方のピンセット要素まで伝えられる。
【０００９】
充填材料は、単一の材料又は材料混合物であり得る。該充填材料は、以下の構成要素：繊維、特にはセラミックパウダーであるセラミック、酸化アルミニウム、酸化ジルコニウム、二酸化ジルコニウム、酸化チタン、カーボン、ダイアモンド、ガラス、Ｇｒｉｖｏｒｙ  ＧＶ（商標登録）、特にはアラミド繊維であるアラミド、特には天然繊維である天然充填物（ｎａｔｕｒａｌ  ｆｉｌｌｅｒｓ）、のうち少なくとも１つを有する。天然充填物に関して、例えば綿、麻、又はセルロースは、望ましくはより硬い構成要素と共に使用され得る。天然繊維は、例えばぶつかり合う（クラップする）回転ディスクの音を減衰することによって、全体の脱毛システムの音を改善し得る。
【００１０】
更に望ましい実施例によれば、基本材料は、６０％のガラス繊維と１０％のセラミックパウダーとを有して補強されるプラスチックである。かかる混合は、３１５ＭＰＡである球押込み硬度（ＩＳＯ  ２０３９−１）及び２２０００ＭＰａである弾性係数をもたらす。
【００１１】
少なくとも場合によっては、ピンセット要素が充填材料を有して補強される基本材料を有して完全に作られる、ことは有利である。
【００１２】
更には、ピンセット要素が充填材料を有して補強される基本材料を有して完全に作られるクランプ部分の一部である、ことは可能である。
【００１３】
これに関連して、ピンセット要素が脱毛器の作動中に回転されるよう意図される隣接するディスクのクランプ部分によって形成される、ことは特に望ましい。かかる場合、「クランプ部分（“ｃｌａｍｐｉｎｇ  ｐｏｒｔｉｏｎ”）」という語は、毛髪をクランプするよう、脱毛器の作動中に近接するディスクに定期的に接触するディスクの部分を示す。クランプ部分の半径方向外向き部分又は円周部分は、ピンセット要素を形成する。ディスクの半径方向内向き部分は、少なくとも場合によってはより軟らかく作られ得、より軟らかい部分は、滑るような表面を形成し得るか、あるいはピンセット要素支持を形成し得る。かかるピンセット要素の構造は、例えば、本願中に参照として組み込まれる前出の特許文献１中に記載される通りであり得る。
【００１４】
望ましい実施例を有して、ピンセット要素は、射出成形工程によって作られ、且つ脱毛器の作動中に回転されるよう意図される隣接するディスクのクランプ部分によって形成される。
【００１５】
制限されることなく、全ての実施例に対して基本材料がプラスチックであることは、望ましい。
【００１６】
本発明の上述の態様及び更なる態様は、本願中に記載される実施例を参照して明らかに説明され、図面において示される。
【発明を実施するための最良の形態】
【００１７】
図１は、本発明に従った脱毛器を概略的に図示する。脱毛器１０は、複数のディスク１８を有するディスク組立体１４間において接触を可能にする脱毛開口を有する。ディスク１８は、脱毛器１０内において配置され、破線で示される、ドライブ２０によって駆動される。
【００１８】
図２は、ディスク組立体１４の断面図である。図示されるディスク組立体１４は、１１のディスク１８を有し、９つのディスク１８は２つの端部ディスク間に配置される。右端部ディスクは、脱毛器のベアリング手段（図示せず）と相互に作用するよう意図される、サイドベアリング手段２６を有する。左端部ディスクは、脱毛器のドライブ２０（図１）によって作られるトルクを受けるよう意図される、トルク伝達手段２２を有する。図２から、ディスク１８の中心ボアは、ディスク１８が上方に配置されるシャフト２８の直径より僅かに大きい直径を有する、ことが分かり得る。これは、脱毛器が作動される際に、必要なピボット動作を可能にするよう必要である。
【００１９】
図３は、図２中のディスク組立体１４の４つの隣接するディスク１８の詳細断面図である。図３から、隣接するディスク１８の接触又はクランプ表面１６がどのように相互作用するかが明らかに分かり得る。クランプ部１６は、半径方向外向きの領域においてピンセット要素１２を形成する。
【００２０】
図４は、図１中に示される脱毛器１０のピンセットを概略的に図示する。充填材料により、ピンセット要素１２は、皮膚３２から除去されるべき毛髪３０のグリップを向上させる粗い表面を有する。他の利点は、ピンセット要素１２の半径Ｒが、金属ディスクの半径より大幅に小さく、例えば０．０６の範囲であり得る、ことである。
【００２１】
図１乃至４中に示される実施例に対して、ディスク全体は、６０％のガラス繊維及び１０％のセラミックパウダーを有して補強されるプラスチックから作られる、ことが望ましい。しかしながら、請求項中に開示される、及び／又は明細書中に記載される全ての材料及び材料の混合はまた、可能である。
【００２２】
上述されていない同等のもの及び修正はまた、添付の請求項において定義される本発明の範囲から逸脱することなく用いられ得る。
【図面の簡単な説明】
【００２３】
【図１】本発明に従った脱毛器を概略的に図示する。
【図２】ピンセット要素を形成するディスクを有するディスク組立体の概略的断面図である。
【図３】図２中のディスク組立体の４つの隣接するディスクの断面詳細図である。
【図４】図１中に示される脱毛器のピンセットを概略的に図示する。
【図５】先行技術に従った金属ディスクを概略的に図示する。
【図１】
2008539854.tif 000003
【図２】
2008539854.tif 000004
【図３】
2008539854.tif 000005
【図４】
2008539854.tif 000006
【図５】
2008539854.tif 000007
【国際調査報告】
2008539854.tif 000008
2008539854.tif 000009